(57)【要約】【課題】正しい復調結果を得るように復旧させるために要する時間を短縮することができる受信装置を提供する。【解決手段】本発明に係る放送波受信システム１００は、チューナ５から出力されたＩＦ信号を、ＯＦＤＭ復調装置１にて復調するものである。ＩＦ信号が正しく復調されたか否か状態判定部１４が判定し、ＩＦ信号が正しく復調されていない場合、設定パラメータ５６の再設定を、パラメータ設定部１５が行う。状態判定部１４は設定パラメータの再設定後に出力されたＩＦ信号が正しく復調されたか否かさらに判定し、正しく復調されていない場合、再同期を実行する。【選択図】図１
2010034750.tif 000002
【特許請求の範囲】
【請求項１】
アンテナを通じて入力された入力信号の周波数を変換して出力信号として出力するチューナと、上記出力信号を復調する復調装置とを備えた受信装置であって、
上記出力信号に対する上記復調装置の復調結果から、該出力信号が正しく復調されたか否かを判定する第１判定手段と、
上記第１判定手段が、上記出力信号が正しく復調されていないと判定した場合、上記入力信号から上記出力信号を得るために、上記チューナにおいて予め設定されているパラメータの再設定を行うパラメータ再設定手段と、
上記パラメータ再設定手段によるパラメータの再設定後の出力信号である再設定後出力信号に対する上記復調装置による復調結果から、この再設定後出力信号が正しく復調されたか否かを判定する第２判定手段と、
上記第２判定手段が、上記再設定後出力信号が正しく上記復調装置により復調されていないと判定した場合、この再設定後出力信号に対する再同期を実行する再同期手段とを備えることを特徴とする受信装置。
【請求項２】
上記第１判定手段は、上記出力信号に対する上記復調装置による復調結果において、所定数のフレームで連続して同期信号を検出できなかった場合、上記出力信号が正しく復調されなかったと判定することを特徴とする請求項１に記載の受信装置。
【請求項３】
上記第２判定手段が、上記再設定後出力信号に対する上記復調装置による復調結果において、所定数のフレームで連続して同期信号を検出できなかった場合、該再設定後出力信号が正しく復調されなかったと判定することを特徴とする請求項２に記載の受信装置。
【請求項４】
上記復調装置による復調結果から伝送路誤りに対する誤り訂正を行う、誤り訂正手段をさらに備え、
上記誤り訂正手段によって訂正されたビット数が所定のビット数を超えた場合、上記第１判定手段は、上記出力信号が上記復調装置により正しく復調されなかったと判定することを特徴とする請求項２に記載の受信装置。
【請求項５】
上記再設定後出力信号に対する上記復調装置による復調結果において、上記誤り訂正手段によって訂正されたビット数が所定のビット数を超えた場合、上記第２判定手段は、上記再設定後出力信号が正しく復調されなかったと判定することを特徴とする請求項４に記載の受信装置。
【請求項６】
上記チューナから上記復調装置に対して出力される出力信号の信号強度が、所定の閾値以上か否かを判定する出力判定部をさらに備え、
上記出力判定部が、上記出力信号の信号強度が所定の閾値よりも小さいと判定した場合、パラメータ再設定手段は、上記チューナにおいて予め設定されているパラメータのうち出力信号の出力レベルを規定するパラメータの再設定を行うことを特徴とする請求項１から５のいずれか１項に記載の受信装置。
【請求項７】
上記復調装置は、有効シンボルと該有効シンボルの一部の信号波形が複写されたガードインターバルとを含む伝送シンボルを伝送単位とするＯＦＤＭ信号を、上記チューナからの出力信号として受信し、復調することを特徴とする請求項１から６のいずれか１項に記載の受信装置。
【請求項８】
アンテナを通じて入力された入力信号の周波数を変換して出力信号として出力するチューナと、上記出力信号を復調する復調装置とを備えた受信装置の制御方法であって、
上記出力信号に対する上記復調装置による復調結果から、該出力信号が正しく復調されたか否かを判定する第１判定ステップと、
上記第１判定ステップにおいて、上記復調装置により上記出力信号が正しく復調されていないと判定した場合、上記入力信号から上記出力信号を得るために、上記チューナにおいて予め設定されているパラメータの再設定を行うパラメータ再設定ステップと、
上記パラメータ再設定ステップによるパラメータの再設定後の出力信号である再設定後出力信号に対する上記復調装置による復調結果から、この再設定後出力信号が正しく復調されたか否かを判定する第２判定ステップと、
上記第２判定ステップにおいて、上記再設定後出力信号が正しく復調されていないと判定した場合、上記復調装置にこの再設定後出力信号に対する再同期を実行させる再同期ステップとを含むことを特徴とする受信装置の制御方法。
【請求項９】
コンピュータを請求項１から７のいずれか１項に記載の受信装置の各手段として機能させるための受信装置の制御プログラム。
【請求項１０】
請求項９に記載の受信装置の制御プログラムを記録したコンピュータ読み取り可能な記録媒体。
【発明の詳細な説明】
【技術分野】
【０００１】
本発明は、アンテナを通じて入力された入力信号の周波数を変換して出力信号として出力するチューナと、上記出力信号を復調する復調装置とを備えた受信装に関するものである。
【背景技術】
【０００２】
テレビ技術が進歩し、近年では、地上デジタル放送が開始されるようになった。このデジタル放送用の有力な変調方式、特には建物等によるゴースト妨害（フェージング、マルチパス）の克服に好適な変調方式として、マルチキャリアのＯＦＤＭ（Orthogonal Frequency Division Multiplexing；直交周波数分割多重）変復調方式が利用されている。
【０００３】
上記ＯＦＤＭ変復調方式とは、１チャンネル帯域内に多数（２５６〜１０２４程度）のサブキャリアを設けて、映像信号や音声信号を効率よく伝送することが可能なデジタル変調・復調方式である。このＯＦＤＭ変復調方式では、全キャリアを高速フーリエ逆変換(ＩＦＦＴ： Inverse Fast Fourier Transform)によりＯＦＤＭ変調したベースバンド(ＢＢ：BaseBand)信号を生成する。なお、このＩＦＦＴ変換の処理窓の期間が、有効シンボル期間長ｔｓとなり、この期間長はＦｓクロックＮ周期に相当する。そして、有効シンボル期間長ｔｓを基本単位としてデジタル変調された全キャリアを加え合わせたものをＯＦＤＭ伝送シンボルという。
【０００４】
実際のＯＦＤＭ伝送シンボルは、通常、図７に示すように有効シンボル期間長ｔｓに、ガードインターバル（ＧＩ）と呼ばれる期間長（ＧＩ期間長ｔｇ）を付加して構成される。そして、このＧＩ期間長ｔｇの波形は、有効シンボル期間長ｔｓの後部区間２００の信号波形を繰り返したものになっている。したがって、ＯＦＤＭ伝送シンボルのシンボル期間長は、有効シンボル期間長ｔｓとＧＩ期間長ｔｇとの和となる。なお、図７は、従来技術を示すものであり、ＯＦＤＭ伝送シンボルの構成を示す図である。
【０００５】
また、上記有効シンボル期間長ｔｓは、地上デジタル放送の規格を示す非特許文献１によると、モード（ＭＯＤＥ）と呼ばれる基本パラメータによって図８の様に定義されている。さらに、ＧＩ期間長ｔｇ（μs）は、各有効シンボル期間長ｔｓに対する比であるＧＩ比と呼ばれるパラメータによって、図９の様に定義されている。なお、図８は、従来技術を示すものであり、モードの種類と各モードにおける有効シンボル期間長ｔｓとの対応関係を示す図である。また、図９は、従来技術を示すものであり、ＧＩ比と各モードごとのＧＩ期間長ｔｇとの対応関係を示す図である。
【０００６】
また、上記伝送シンボルを幾つか集めたもの、より具体的には、該伝送シンボルを１００個程度集めたものに、フレーム同期用シンボルおよびサービス識別用シンボルを付加したものを伝送フレームと称する。例えば、非特許文献１によると基本パラメータでは、１フレームを２０４シンボルと定義している。
【０００７】
また、上記基本パラメータでは、ＱＰＳＫ（Quadrature Phase Shift Keying：４相位相変調）、１６ＱＡＭ（（Quadrature Amplitude Modulation：直交振幅変調)、または６４ＱＡＭ変調された１伝送シンボルにおいて、１セグメント当たり図１０に示すキャリアが配置されている。すなわち、キャリアの種類としてデータ信号、ＳＰ(Scattered Pilot)信号、ＴＭＣＣ（Transmission and Multiplexing Configuration Control）信号、ＡＣ１（Auxiliary Channel）信号が設定されており、各キャリアの種類ごとに信号強度、モード（ＭＯＤＥ）１〜モード（ＭＯＤＥ）３それぞれに応じたキャリア本数が割り当てられている。このキャリア本数の総数は、図１０に示すように、モード（ＭＯＤＥ）１で１０８、モード（ＭＯＤＥ）２で２１６、モード（ＭＯＤＥ）３で４３２となる。この図１０は、従来技術を示すものであり、キャリアの種類と各キャリアの種類ごとの信号強度と、各モードにおけるキャリア本数との対応関係を示す図である。
【０００８】
なお、上記ＳＰ信号とは、キャリア方向において１２キャリアに１回、シンボル方向において４シンボルに１回と周期的に挿入されるパイロット信号である。また、ＴＭＣＣ信号は、フレーム同期信号、および伝送パラメータ等を含む信号である。上記ＡＣ１信号は付加情報を含む信号である。なお、上記ＴＭＣＣ信号とＡＣ１信号とは、ＳＰ信号とは異なり非周期的にキャリア配置される。
【０００９】
次に、従来のＯＦＤＭ受信装置２００について、図１１に基づいて説明する。図１１は、非特許文献１に記載の望ましい仕様に基づいて構成された、従来のＯＦＤＭ受信装置２００の構成を示すブロック図である。
【００１０】
図１１に示すように、ＯＦＤＭ受信装置２００は、アンテナ２０２、チューナ２０３、およびＯＦＤＭ復調装置２０１を備えてなる構成である。
【００１１】
アンテナ２０２により受信されたＲＦ（高周波）信号は、チューナ２０３によりＩＦ（中間周波数）信号に周波数変換され、ＯＦＤＭ復調装置２０１によって復調される。また、上記したようにＯＦＤＭ変復調方式では復調信号に同期信号を含んでいる。そこで、ＯＦＤＭ復調装置２０１により復調する際、この同期信号を用いて同期処理部２１７がフレーム先頭位置を検出してフレーム同期を行う。
【００１２】
上記チューナ２０３は、ミキサ２０４、局部発振器２０５、パラメータ記録部２０６、ゲインＡ２０７、およびゲインＢ２０８を備えている。
【００１３】
パラメータ記録部２０６は、チューナ２０３において設定されている設定パラメータを記録するものである。パラメータ記録部２０６は、例えばレジスタ等によって実現できる。また、パラメータ記録部２０６が記録するパラメータとしては、チューナ２０３により受信する周波数帯域を示す値が挙げられる。
【００１４】
局部発振器２０５は、パラメータ記録部２０６に記録されている周波数帯域を示す値により決定された周波数の正弦波をミキサ２０４に出力するものである。ミキサ２０４は、局部発振器２０５から入力された正弦波とアンテナ２０２より受信されたＲＦ信号とを乗算する事で周波数変換を行うものである。ミキサ２０４は、ＲＦ信号を周波数変換して得られたＩＦ信号をＯＦＤＭ復調装置２０１へ出力する。
【００１５】
また、チューナ２０３は、上記したようにゲインＡ２０７およびゲインＢ２０８をさらに備えている。これらゲインＡ２０７およびゲインＢ２０８は、ＯＦＤＭ復調装置２０１から入力されたゲイン制御信号に応じて、チューナの出力の、平均電力の大きさを調整するために、周波数変換前後においてゲイン値を調整する。
【００１６】
ＯＦＤＭ復調装置２０１は、図１１に示すように、アナログデジタル変換器（ＡＤＣ）２１０、復調処理部２０９、同期処理部２１７、および自動利得制御回路（ＡＧＣ）２１３を備えてなる構成である。
【００１７】
そして、ＯＦＤＭ復調装置２０１は、直交復調回路２１１、キャリア周波数誤差補正回路２１２、ＦＦＴ演算回路２１４、波形等化回路２１５、ＴＭＣＣ復号回路２１６、および誤り訂正処理部２２３を備える。
【００１８】
また、同期処理部２１７は、シンボル同期回路２１８、狭帯域キャリア周波数誤差検出回路２１９、広帯域キャリア周波数誤差検出回路２２０、ＮＣＯ（数値制御発振回路）２２１、およびフレーム同期回路２２２を備える構成である。
【００１９】
ここで、まず復調処理部２０９が備える各部について説明する。
【００２０】
本実施の形態に係るＯＦＤＭ受信装置２００では、上記したようにチューナ２０３から、周波数変換されたＩＦ信号が、ＯＦＤＭ復調装置２０１に設けられたＡＤＣ２１０に供給されるようになっている。そして、ＡＤＣ２１０は、チューナ２０３から出力されたＩＦ信号をデジタル化し、デジタル化したＩＦ信号を直交復調回路２１１に供給する。
【００２１】
直交復調回路２１１は、所定の周波数（キャリア周波数）のキャリア信号を用いて、デジタル化されたＩＦ信号を直交復調し、ベースバンドのＯＦＤＭ信号を出力するものである。ベースバンドのＯＦＤＭ信号は、直交復調回路２１１により直交復調された結果、実軸成分（Ｉチャネル信号）と、虚軸成分（Ｑチャネル信号）とから構成される複素信号となる。直交復調回路２１１は、このベースバンドのＯＦＤＭ信号を、キャリア周波数誤差補正回路２１２に供給する。そして、ベースバンドのＯＦＤＭ信号は、このキャリア周波数誤差補正回路２１２を介して、ＦＦＴ演算回路２１４、同期処理部２１７、およびＡＧＣ２１３それぞれに出力される。
【００２２】
キャリア周波数誤差補正回路２１２は、直交復調回路２１１から出力されたベースバンドのＯＦＤＭ信号に対して、同期処理部２１７が備えるＮＣＯ２２１から出力された周波数補正信号（複素信号）を複素乗算するものである。このように、キャリア周波数誤差補正回路２１２は、ベースバンドＯＦＤＭ信号に対して複素信号を複素乗算することによって、ＯＦＤＭ信号の中心周波数のズレを補正する。
【００２３】
ＦＦＴ演算回路２１４は、キャリア周波数誤差補正回路２１２を介して直交復調回路２１１から入力されたベースバンドのＯＦＤＭ信号に対してＦＦＴ演算を行い、各サブキャリアに直交変調されている信号を抽出して出力するものである。ＦＦＴ演算回路２１４は、１つのＯＦＤＭシンボルから有効シンボル長分の信号を抜き出し、抜き出した信号に対してＦＦＴ演算を行う。すなわち、ＦＦＴ演算回路２１４は、１つのＯＦＤＭシンボルからＧＩ期間長分の信号を除き、残った信号に対してＦＦＴ演算を行う。
【００２４】
ＦＦＴ演算を行うために抜き出される信号の範囲は、該抜き出された信号点が連続する場合、１つのＯＦＤＭ伝送シンボル中の任意の位置でよい。つまり、その抜き出される信号の範囲の開始位置は、ＧＩ期間中のいずれかの位置となっている。
【００２５】
ＦＦＴ演算回路２１４により抽出される各サブキャリアに変調された信号は、実軸成分（Ｉチャネル信号）と虚軸成分（Ｑチャネル信号）とから構成される複素信号である。ＦＦＴ演算回路２１４は、抽出した信号を、ＴＭＣＣ復号回路２１６、広帯域キャリア周波数誤差検出回路２２０、および波形等化回路２１５に供給する。
【００２６】
波形等化回路２１５には、ＦＦＴ演算回路２１４から出力された各サブキャリアから復調された後の信号が供給される。波形等化回路２１５は、図示しないが、特許文献１に記載の波形等化回路のように、ＦＦＴ復調信号からＳＰキャリアを抽出するＳＰ抽出回路と、ＳＰ基準キャリアを発生するＳＰ発生回路と、前記抽出したＳＰキャリアを前記基準キャリアで除算する複素除算回路と、ＳＰ補間ＬＰＦと、データ抽出回路と、データ抽出回路によって抽出されたデータキャリアをＳＰ補間ＬＰＦから取得したデータキャリア伝達関数で除算する複素除算回路とを備え、これらにより、ＦＦＴ復調信号に対してキャリア復調を行う。ＩＳＤＢ−Ｔ規格のＯＦＤＭ信号を復調する場合であれば、波形等化回路２１５は、たとえば、ＤＱＰＳＫの差動復調、または、ＱＰＳＫ、１６ＱＡＭ、及び６４ＱＡＭなどの同期復調を行う。
【００２７】
ＴＭＣＣ復号回路２１６は、ＯＦＤＭ伝送フレームにおける所定の位置に変調されている、ＴＭＣＣなどの伝送制御情報を復号するものである。非特許文献１によれば、制御情報にはフレーム同期の為の同期信号が含まれている。そこで、同期処理部２１７に設けられたフレーム同期回路２２２は、この同期信号を検出してフレーム同期を確立する。
【００２８】
誤り訂正処理部２２３は、波形等化回路２１５により波形等化されたＯＦＤＭ信号において生じている伝送路誤りに対する誤り訂正を行うものである。
【００２９】
次に、本実施の形態に係るＯＦＤＭ復調装置２０１が備える同期処理部２１７の各部について説明する。
【００３０】
シンボル同期回路２１８は、キャリア周波数誤差補正回路２１２で周波数補正された信号より、ＯＦＤＭシンボルの先頭を検出するものである。なお、上記したＦＦＴ演算回路２１４で演算されるデータの開始点は、ここで検出したシンボル先頭位置となる。
【００３１】
ＮＣＯ２２１は、上記したように、キャリア周波数誤差補正回路２１２に周波数補正信号（複素信号）を出力するものである。
【００３２】
ところで、ＯＦＤＭ復調装置２０１においてＯＦＤＭ信号の復調を行う場合、２種類のキャリア周波数誤差を独立して検出している。そして、これら２種類のキャリア周波数誤差を加算して、ＮＣＯ２２１に与える制御信号としている。なお、これらキャリア周波数誤差のうちの一つが、サブキャリアの周波数間隔の精度の周波数誤差である、広帯域キャリア周波数誤差である。もう一つは、サブキャリアの周波数間隔に対して±１／２以下の精度の周波数誤差である、狭帯域キャリア周波数誤差である。前者は、同期処理部２１７が備える広帯域キャリア周波数誤差検出回路２２０によって、後者は、狭帯域キャリア周波数誤差検出回路２１９によって検出される。
【００３３】
広帯域キャリア周波数誤差検出回路２２０は、後述するＦＦＴ演算回路２１４によってＦＦＴ演算された後の各サブキャリアからパイロット信号を抽出し、抽出したパイロット信号に基づいて広帯域キャリア周波数誤差を検出する。広帯域キャリア周波数誤差検出回路２２０は、検出した広帯域キャリア周波数誤差を、ＮＣＯ２２１に入力する。
【００３４】
一方、狭帯域キャリア周波数誤差検出回路２１９は、ＯＦＤＭ信号におけるキャリア周波数以下の中心周波数のずれ量に対応する位相回転量を検出する。狭帯域キャリア周波数誤差検出回路２１９は、検出した位相回転量を狭帯域キャリア周波数誤差として、ＮＣＯ２２１に入力する。
【００３５】
また、ＯＦＤＭ復調装置２０１が備えるＡＧＣ２１３は、直交復調回路２１１から出力されたベースバンドのＯＦＤＭ信号に基づき、チューナ２０３の出力の、平均電力の大きさが一定値になるように、該チューナ２０３が有するゲインＡ、ゲインＢを制御するものである。
【００３６】
以上のように、従来のＯＦＤＭ受信装置２００は、上記した各部を備えてなる構成である。ところで、このＯＦＤＭ受信装置２００は、外部雑音や物理的、磁気的、電気的、電磁波的な衝撃等により、パラメータ記録部２０６に記録されたチューナ２０３の設定パラメータを消失、またはリセットしてしまう場合がある。特に、自動車でこのＯＦＤＭ受信装置２００を利用した場合、あるいは使用中の電子レンジ付近でこのＯＦＤＭ受信装置２００を利用した場合などにおいて、この様な状況が発生することがある。
【００３７】
上述のようチューナ２０３の設定パラメータを消失した場合、チューナ２０３では周波数変換すべき周波数帯域等が分からず、所望の値が出力されなくなる。また、ＯＦＤＭ復調装置２０１でも所望の値が入力されず、正しく復調を行えないという問題が生じる。また、シンボル同期回路２１８ではシンボル先頭位置が検出できなくなり、シンボル同期が維持できなくなる。さらに、フレーム同期回路２２２でもＴＭＣＣの同期信号が検出できなくなる為、フレーム先頭が分からずフレーム同期が維持できなくなる。
【００３８】
このように、フレーム同期が維持できなくなると、ＯＦＤＭ受信装置２００では、再同期処理を行うように構成されている。つまり、同期処理部２１７が実行する処理を始めからやり直すのである。
【００３９】
この再同期処理には多くの時間が必要となり、同期が再び確立されるまでは所望の出力が得られない。特に同期処理の中で最も時間を要するのが、フレーム同期であり、最低でも２フレームは必要となる。非特許文献１を参照すると、伝送信号パラメータが例えばＭｏｄｅ３、ＧＩ長＝１／８の場合、１フレームは、２３１．３３６ｍｓとなる。２フレームでは４６２．６７２ｍｓとなり、他の同期処理期間を考慮しても最低０．５ｓ程度は同期処理に必要となる。このように同期処理、特にはフレーム同期を行って正しい出力を得るためには多くの時間を要する。
【００４０】
このため、同期信号が検出できなかった場合にすぐフレーム同期を行う構成とすると、受信信号への瞬時的な雑音による影響で同期信号にエラーが生じた場合でもフレーム同期を行ってしまうこととなり、安定したシステムを構築することができない。
【００４１】
そこで、通常、ＯＦＤＭ受信装置２００は、複数フレームで連続して同期信号が検出できなかった場合に再同期処理を行うように構成されている。しかしながら、複数フレームで連続して同期信号が検出できないか監視する構成の場合、再同期処理を行う必要があるか否か判断するまで時間がかかる。例えば１０フレーム間同期信号を監視する構成の場合、再同期処理の必要性を判断し、再同期処理を実行するまで２秒以上もかかる。
【００４２】
そこで、特許文献２では、同期信号とともに、ＴＭＣＣ信号の誤り訂正復号を実行して得られた誤り訂正判定信号に基づきフレーム同期確立信号を生成し、再同期処理を実行するデジタル放送受信装置が開示されている。この特許文献２に示すデジタル放送受信装置では、フレーム全体の情報を用いてフレーム同期を確立するため、同期信号のみを用いてフレーム同期の必要性を判断する構成と比較して正確かつすばやくフレーム同期を確立することができる。
【特許文献１】特開２００４−２１４９６０号公報（２００４年７月２９日公開）
【特許文献２】特開２００５−２７８１１１号公報（２００５年１０月６日公開）
【非特許文献１】「地上デジタルテレビジョン放送の伝送方式ＡＲＩＢ  ＳＴＤ−Ｂ３１  １．５版」、社団法人電波産業界、２００１年５月３１日初版策定、２００３年７月２９日１．５版改定
【発明の開示】
【発明が解決しようとする課題】
【００４３】
しかしながら、上記従来の構成では、正しい復調結果を得るように復旧させるために大きな時間がかかるという問題が生じる。
【００４４】
具体的には、特許文献２に示すように同期信号とともに、ＴＭＣＣ信号の誤り訂正復号を実行して得られた誤り訂正判定信号に基づきフレーム同期確立信号を生成し、再同期処理を実行する構成であっても、所望する出力を得るまで数フレームが必要となる。
【００４５】
本発明は、上記の問題点に鑑みてなされたものであり、その目的は、正しい復調結果を得るように復旧させるために要する時間を短縮することができる受信装置、受信装置の制御方法、受信装置の制御プログラム、および受信装置の制御プログラムを記録した記録媒体を実現することにある。
【課題を解決するための手段】
【００４６】
本発明に係る受信装置は、上記した課題を解決するために、アンテナを通じて入力された入力信号の周波数を変換して出力信号として出力するチューナと、上記出力信号を復調する復調装置とを備えた受信装置であって、上記出力信号に対する上記復調装置の復調結果から、該出力信号が正しく復調されたか否かを判定する第１判定手段と、上記第１判定手段が、上記出力信号が正しく復調されていないと判定した場合、上記入力信号から上記出力信号を得るために、上記チューナにおいて予め設定されているパラメータの再設定を行うパラメータ再設定手段と、上記パラメータ再設定手段によるパラメータの再設定後の出力信号である再設定後出力信号に対する上記復調装置による復調結果から、この再設定後出力信号が正しく復調されたか否かを判定する第２判定手段と、上記第２判定手段が、上記再設定後出力信号が正しく上記復調装置により復調されていないと判定した場合、この再設定後出力信号に対する再同期を実行する再同期手段とを備えることを特徴とする。
【００４７】
上記構成によると第１判定手段、第２判定手段、パラメータ再設定手段、および再同期手段を備えているため、パラメータの再設定前後の復調結果それぞれにおいて、正しく復調されているか否か判定することができる。
【００４８】
また、上記出力信号に対して正しい復調結果が得られないと判定した場合であっても、再同期をすぐに行うのではなく、まずはチューナにおいて予め設定されているパラメータをパラメータ再設定手段が再設定する。そして、このようにパラメータの再設定を行った上で、上記再設定後出力信号が復調装置によって正しく復調されたか否か第２判定手段が確認することができる。そして、第２判定手段が、再設定後出力信号から正しい復調結果を得られなかったと判定した場合に限り、再同期手段がこの再設定後出力信号に対する再同期を実行することができる。
【００４９】
このため、チューナにおいて予め設定されているパラメータの喪失等に起因して正しく復調されなかった場合は、このパラメータの再設定により正常な復調結果を得ることできることとなる。つまり、処理に時間がかかる再同期を実行することなく、パラメータの再設定という処理時間が短い簡易な処理だけで正しく復調することができることとなる。
【００５０】
したがって、正しい復調結果を得られなかった場合、常に再同期を実行する構成と比較して、正しい復調結果を得るために要する時間を短縮することができる。
【００５１】
よって、本発明に係る受信装置は、正しい復調結果を得るように復旧させるために要する時間を短縮することができるという効果を奏する。
【００５２】
本発明に係る受信装置は、上記した構成において、上記第１判定手段は、上記出力信号に対する上記復調装置による復調結果において、所定数のフレームで連続して同期信号を検出できなかった場合、上記出力信号が正しく復調されなかったと判定するように構成されていてもよい。
【００５３】
上記した構成によると、上記第１判定手段は、上記出力信号に対する復調結果において、所定数のフレームで連続して同期信号を検出できなかった場合、上記出力信号が正しく復調されなかったと判定するため、上記入力信号または上記出力信号への瞬時的な雑音による影響で同期信号にエラーが生じた場合を除くことができる。
【００５４】
このため、上記した瞬時的な雑音による影響で正しく復調できなかった場合は、パラメータ再設定処理を行わないようにすることができるため、アンテナを介して入力された入力信号を受信し復調する受信処理を中断させることがない。したがって、本発明に係る受信装置は、入力信号に対する受信処理の安定性を向上させることができる。
【００５５】
本発明に係る受信装置は、上記した構成において、上記第２判定手段が、上記再設定後出力信号に対する上記復調装置による復調結果において、所定数のフレームで連続して同期信号を検出できなかった場合、該再設定後出力信号が正しく復調されなかったと判定するように構成されていてもよい。
【００５６】
上記した構成によると、上記第２判定手段は、上記再設定後出力信号に対する復調結果において、所定数のフレームで連続して同期信号を検出できなかった場合、該再設定後出力信号が正しく復調されなかったと判定するため、上記入力信号または上記再設定後出力信号への瞬時的な雑音による影響で同期信号にエラーが生じた場合を除くことができる。
【００５７】
このため、上記した瞬時的な雑音による影響で正しく復調できなかった場合は、再同期を行わないようにすることができるため、アンテナを介して入力された入力信号を受信し、復調する受信処理を、上記再同期の実行のため中断させることがない。したがって、本発明に係る受信装置は、入力信号に対する受信処理の安定性を向上させることができる。
【００５８】
本発明に係る受信装置は、上記した構成において、上記復調装置による復調結果から伝送路誤りに対する誤り訂正を行う、誤り訂正手段をさらに備え、上記誤り訂正手段によって訂正されたビット数が所定のビット数を超えた場合、上記第１判定手段は、上記出力信号が上記復調装置により正しく復調されなかったと判定するように構成されていてもよい。
【００５９】
本発明に係る受信装置は、上記した構成において、上記再設定後出力信号に対する上記復調装置による復調結果において、上記誤り訂正手段によって訂正されたビット数が所定のビット数を超えた場合、上記第２判定手段は、上記再設定後出力信号が正しく復調されなかったと判定するように構成されていてもよい。
【００６０】
本発明に係る受信装置は、上記した構成において、上記チューナから上記復調装置に対して出力される出力信号の信号強度が、所定の閾値以上か否かを判定する出力判定部をさらに備え、上記出力判定部が、上記出力信号の信号強度が所定の閾値よりも小さいと判定した場合、パラメータ再設定手段は、上記チューナにおいて予め設定されているパラメータのうち出力信号の出力レベルを規定するパラメータの再設定を行ように構成されていてもよい。
【００６１】
上記した構成によると、上記出力判定部をさらに備えるため、上記チューナから出力される出力信号の出力レベルが所定の閾値以上か否か判定することができる。そして、上記パラメータ再設定手段は、出力信号の出力レベルが所定の閾値に満たない場合、出力信号の出力レベルを規定するパラメータについて再設定を行うことができる。
【００６２】
ところで、上記出力信号の出力レベルが所定の閾値に満たない場合とは、出力信号の出力レベルを規定するためのパラメータを喪失した場合が考えられる。そこで、出力信号の出力レベルが所定の閾値に満たない場合、出力信号の出力レベルを規定するパラメータを再設定することで、出力レベルが所定の閾値以上となるように状態を維持することができる。
【００６３】
したがって、出力信号の出力レベルを規定するためのパラメータの喪失に起因して、正しい復調結果が得られなくなるケースを防ぐことができる。
【００６４】
このように、正しい復調結果を得ることができなくなる要因の中から、出力信号の出力レベルを規定するためのパラメータの喪失を除外できるため、正しい復調結果を得ることができない状態が発生する頻度が低減される。このため、本発明に係る受信装置において再同期を実行すべきか否か判定する機会を低減することができ、アンテナを介して入力された入力信号に対する受信処理を中断させる頻度を低減することができる。したがって、本発明に係る受信装置は、入力信号に対する受信処理の安定性を向上させることができる。
【００６５】
また、本発明に係る受信装置は、上記した構成において、上記復調装置は、有効シンボルと該有効シンボルの一部の信号波形が複写されたガードインターバルとを含む伝送シンボルを伝送単位とするＯＦＤＭ信号を、上記チューナからの出力信号として受信し、復調するように構成されていてもよい。
【００６６】
また、本発明に係る受信装置の制御方法は、上記した課題を解決するために、アンテナを通じて入力された入力信号の周波数を変換して出力信号として出力するチューナと、上記出力信号を復調する復調装置とを備えた受信装置の制御方法であって、上記出力信号に対する上記復調装置による復調結果から、該出力信号が正しく復調されたか否かを判定する第１判定ステップと、上記第１判定ステップにおいて、上記復調装置により上記出力信号が正しく復調されていないと判定した場合、上記入力信号から上記出力信号を得るために、上記チューナにおいて予め設定されているパラメータの再設定を行うパラメータ再設定ステップと、上記パラメータ再設定ステップによるパラメータの再設定後の出力信号である再設定後出力信号に対する上記復調装置による復調結果から、この再設定後出力信号が正しく復調されたか否かを判定する第２判定ステップと、上記第２判定ステップにおいて、上記再設定後出力信号が正しく復調されていないと判定した場合、上記復調装置にこの再設定後出力信号に対する再同期を実行させる再同期ステップとを含むことを特徴とする。
【００６７】
上記した方法では、第１判定ステップ、第２判定ステップ、パラメータ再設定ステップ、および再同期ステップを含むため、パラメータの再設定前後における復調装置の復調結果それぞれにおいて、正しく復調されているか否か判定することができる。
【００６８】
また、上記出力信号に対して正しい復調結果が得られないと判定した場合であっても、再同期ステップにより再同期をすぐに行うのではなく、まずはパラメータ再設定ステップにより、チューナにおいて予め設定されているパラメータを再設定する。そして、このようにパラメータの再設定を行った上で、上記再設定後出力信号が復調装置により正しく復調されたか否か第２判定ステップが確認することができる。そして、第２判定ステップが、再設定後出力信号から正しい復調結果を得られなかったと判定した場合に限り、再同期ステップにより、この再設定後出力信号に対する再同期を実行することができる。
【００６９】
このため、チューナにおいて予め設定されているパラメータの喪失等に起因して正しく復調されなかった場合は、このパラメータの再設定により正常な復調結果を得ることできることとなる。つまり、処理に時間がかかる再同期を実行することなく、パラメータの再設定という処理時間が短い簡易な処理だけで正しく復調することができることとなる。
【００７０】
したがって、正しい復調結果を得られなかった場合、常に再同期を実行する方法と比較して、正しい復調結果を得るために要する時間を短縮することができる。
【００７１】
よって、本発明に係る受信装置の制御方法は、正しい復調結果を得るように復旧させるために要する時間を短縮することができるという効果を奏する。
【００７２】
なお、上記受信装置は、コンピュータによって実現してもよく、この場合には、コンピュータを上記各手段として動作させることにより上記受信装置をコンピュータにて実現させる受信装置の制御プログラム、およびそれを記録したコンピュータ読み取り可能な記録媒体も、本発明の範疇に入る。
【発明の効果】
【００７３】
本発明に係る受信装置は、以上のように、アンテナを通じて入力された入力信号の周波数を変換して出力信号として出力するチューナと、上記出力信号を復調する復調装置とを備えた受信装置であって、上記出力信号に対する上記復調装置の復調結果から、該出力信号が正しく復調されたか否かを判定する第１判定手段と、上記第１判定手段が、上記出力信号が正しく復調されていないと判定した場合、上記入力信号から上記出力信号を得るために、上記チューナにおいて予め設定されているパラメータの再設定を行うパラメータ再設定手段と、上記パラメータ再設定手段によるパラメータの再設定後の出力信号である再設定後出力信号に対する上記復調装置による復調結果から、この再設定後出力信号が正しく復調されたか否かを判定する第２判定手段と、上記第２判定手段が、上記再設定後出力信号が正しく上記復調装置により復調されていないと判定した場合、この再設定後出力信号に対する再同期を実行する再同期手段とを備えることを特徴とする。
【００７４】
よって、本発明に係る受信装置は、正しい復調結果を得るように復旧させるために要する時間を短縮することができるという効果を奏する。
【００７５】
本発明に係る受信装置の制御方法は、以上のように、アンテナを通じて入力された入力信号の周波数を変換して出力信号として出力するチューナと、上記出力信号を復調する復調装置とを備えた受信装置の制御方法であって、上記出力信号に対する上記復調装置による復調結果から、該出力信号が正しく復調されたか否かを判定する第１判定ステップと、上記第１判定ステップにおいて、上記復調装置により上記出力信号が正しく復調されていないと判定した場合、上記入力信号から上記出力信号を得るために、上記チューナにおいて予め設定されているパラメータの再設定を行うパラメータ再設定ステップと、上記パラメータ再設定ステップによるパラメータの再設定後の出力信号である再設定後出力信号に対する上記復調装置による復調結果から、この再設定後出力信号が正しく復調されたか否かを判定する第２判定ステップと、上記第２判定ステップにおいて、上記再設定後出力信号が正しく復調されていないと判定した場合、上記復調装置にこの再設定後出力信号に対する再同期を実行させる再同期ステップとを含むことを特徴とする。
【００７６】
よって、本発明に係る受信装置の制御方法は、正しい復調結果を得るように復旧させるために要する時間を短縮することができるという効果を奏する。
【発明を実施するための最良の形態】
【００７７】
本発明の一実施形態について図１ないし図６に基づいて説明すると以下の通りである。すなわち、本実施の形態に係る放送波受信システム１００は、受信した放送波を復調し、音声および映像として出力するものである。上記放送波受信システム１００は、図２に示すようにＯＦＤＭ復調装置１、映像音声再生処理部２、出力装置３、アンテナ４、およびチューナ５を備えてなる構成である。なお、図２は、本発明の実施形態を示すものであり、放送波受信システム１００の要部構成を示すブロック図である。
【００７８】
また、放送波受信システム１００において、チューナ５が放送波（ＲＦ信号（入力信号））を受信し、ＩＦ信号（出力信号、再設定後出力信号）に変換し、このＩＦ信号をＯＦＤＭ復調装置１が復調する処理を、受信処理と称する。
【００７９】
上記ＯＦＤＭ復調装置１は、ＯＦＤＭ変復調方式により変調された放送信号を受信し、復調するものである。上記ＯＦＤＭ復調装置１は、図２に示すように、復調した放送信号を映像音声再生処理部２に送信し、該映像音声再生処理部２を通じて出力装置３に出力する。なお、ＯＦＤＭ復調装置１の詳細については後述する。
【００８０】
上記映像音声再生処理部２は、ＯＦＤＭ復調装置１により復調された放送信号を受信すると、該放送信号を、出力装置３において出力処理可能な形式に変換し、出力するものである。
【００８１】
上記出力装置３は、放送信号として受信した映像または音声等を出力するものであり、例えば、ＬＣＤ、ＣＲＴ等の表示装置や、スピーカ等の音声出力装置等によって実現することができる。
【００８２】
上記アンテナ４は、放送局から送信された放送波を受信するものであり、放送波を受信すると、ＲＦ信号としてチューナ５に出力する。
【００８３】
上記チューナ５は、放送局から送信された放送波のＲＦ信号を、アンテナ４を介して受信し、周波数変換してＩＦ信号としてＯＦＤＭ復調装置１に供給するものである。なお、本実施の形態に係るチューナ５は、後述するが、チューナ５において設定されている設定パラメータ５６の再設定を、ＯＦＤＭ復調装置１からの制御信号に応じて実行することができるように構成されている。
【００８４】
以下において、本実施の形態に係るＯＦＤＭ復調装置１およびチューナ５の構成について、図１を参照して説明する。なお、この図１は、本発明の実施形態を示すものであり、受信処理に関するＯＦＤＭ復調装置１およびチューナ５の要部構成を示すブロック図である。
【００８５】
チューナ５は、図１に示すように、ミキサ５１、局部発振器５２、パラメータ記録部５３、ゲインＡ５４、およびゲインＢ５５を備えている。チューナ５は、パラメータ記録部５３に記録されている設定パラメータ５６が、ＯＦＤＭ復調装置１から入力された制御信号に応じて再設定できるようになっている点を除き、図１１に示したチューナ２０３と同様である。このため、チューナ５が備える各部の説明は省略する。
【００８６】
また、チューナ５が備えるパラメータ記録部５３に記録される設定パラメータ５６としては、例えば、チューナ５の受信周波数帯域を示す値、ゲインＡ５４およびゲインＢ５５のゲイン値、不要な周波数帯域を除去するために設定するフィルタ係数が含まれる。すなわち、パラメータ記録部５３には、チューナ５に入力されたＲＦ（高周波）信号をＯＦＤＭ復調装置１にて復調可能なＩＦ（中間周波数）信号に変換して出力するために必要なチューナ５における各種設定値が記録される。
【００８７】
つまり、チューナ５は、アンテナ４を介して受信した信号を、ゲインＡ５４およびゲインＢ５５により増幅または減衰させたり、不要な周波数帯域を除去する不図示のフィルタリング機能を動作させたりすることができる。このように受信信号の増幅またはフィルタリング機能を実行するための設定パラメータ５６がパラメータ記録部５３に記録されている。
【００８８】
本実施の形態に係るＯＦＤＭ復調装置１は、図１に示すように、ＡＤＣ１１、復調処理部１２、同期処理部１３、状態判定部１４、パラメータ設定部１５、およびＡＧＣ１６、およびパラメータ記憶装置１７を備えてなる構成である。
【００８９】
図１に示すように、ＯＦＤＭ復調装置１は、図１１に示したＯＦＤＭ復調装置２０１と比較して、さらに状態判定部１４、パラメータ設定部１５、およびパラメータ記憶装置１７を備える点で異なる。そこで、状態判定部１４、パラメータ設定部１５およびパラメータ記憶装置１７について説明する。
【００９０】
なお、ＡＤＣ１１、復調処理部１２、および同期処理部１３の構成については、同期処理部１３が状態判定部１４からの同期実行指示を示す同期開始信号に応じて、同期処理を実行する点を除き、図１１に示したＯＦＤＭ復調装置２０１が備えるＡＤＣ２１０、復調処理部２０９、同期処理部２１７、およびＡＧＣ２１３と同様であるため、これら各部の説明は省略する。
【００９１】
状態判定部１４は、復調されたＩＦ（中間周波数）信号が復調処理部１２から出力された際に、同期処理部１３による同期が完了しているか否か、すなわち同期済みであるか否かを判定するものである。そして、状態判定部１４は、同期処理部１３による同期が完了していないと判定した場合、同期処理部１３に同期開始信号を出力する。または、同期に失敗し、完了しなかった場合、同期処理部１３から出力された同期失敗信号に応じて、同期開始信号を同期処理部１３に出力する。
【００９２】
一方、同期が完了し、同期が維持されている間では、状態判定部１４は、復調処理部１２から入力された復調結果より設定パラメータ５６の再設定の必要性について判定するものでもある。
【００９３】
なお、状態判定部１４に関する詳細な説明については後述する。
【００９４】
パラメータ設定部１５は、状態判定部１４から入力された設定開始信号に応じて、パラメータ記憶装置１７から設定パラメータ５６を読み出す。そして、パラメータ設定部１５は、読み出した設定パラメータ５６をパラメータ記録部５３（レジスタ）に送信するものである。なお、パラメータ設定部１５の詳細について後述する。
【００９５】
次に、本実施の形態に係る放送波受信システム１００による同期処理の実行に関する処理を図３および図４を参照して説明する。図３は、本発明の実施形態を示すものであり、放送波受信システム１００における同期実行処理を示すフローチャートである。また、図４は、本発明の実施形態を示すものであり、放送波受信システム１００における同期再実行処理を示すフローチャートである。なお、同期処理部１３は、受信信号との同期をとり、例えば、上述したようなＯＦＤＭ復調装置１の場合、同期処理としてフレーム同期およびシンボル同期を実行する。
【００９６】
まず、放送波受信システム１００における同期実行処理について説明する。
【００９７】
ＯＦＤＭにより変調されたＲＦ（高周波）信号をアンテナ４が受信する（ステップＳ１１、これ以降Ｓ１１のように称する）。アンテナ４により受信されたＲＦ（高周波）信号をチューナ５が周波数変換してＩＦ（中間周波数）信号とする（Ｓ１２）。そして、チューナ５は、このＩＦ（中間周波数）信号をＯＦＤＭ復調装置１に出力する。ＯＦＤＭ復調装置１では、ＡＤＣ１１が、チューナ５から出力されたＩＦ（中間周波数）信号をデジタル化し、デジタル化したＩＦ（中間周波数）信号を復調処理部１２に出力する。復調処理部１２は、ＡＤＣ１１から出力されたＩＦ（中間周波数）信号を復調し、復調結果を同期処理部１３と状態判定部１４と映像音声再生処理部２とにそれぞれ出力する（Ｓ１３）。
【００９８】
なお、ここで、復調処理部１２から同期処理部１３に出力される復調結果としては、例えば、復調処理部１２が備えるＴＭＣＣ復号回路によって復号された同期信号を含む伝送制御情報、キャリア周波数誤差補正回路で周波数補正された信号、ＦＦＴ演算回路により抽出される各サブキャリアに変調された複素信号等が挙げられる。
【００９９】
上記伝送制御情報は、復調処理部１２のＴＭＣＣ復号回路から同期処理部のフレーム同期回路に出力される。また、周波数補正された信号は、キャリア周波数誤差補正回路からシンボル同期回路に、複素信号は、ＦＦＴ演算回路から広帯域キャリア周波数誤差検出回路にそれぞれ出力される。
【０１００】
一方、復調処理部１２から状態判定部１４に入力される復調結果としては、ＭＥＲ(変調誤差比)が挙げられる。ＭＥＲは、復調処理部が備える波形等化回路から状態判定部１２に出力される。
【０１０１】
このように、復調されたＩＦ（中間周波数）信号が復調処理部１２から出力されると、状態判定部１４は、同期処理部１３から出力される同期失敗信号より、同期が完了しているか否か、すなわち同期済みであるか否かを判定する（Ｓ１４）。
【０１０２】
ステップＳ１４において、同期処理部１３による同期が完了していると判定した場合（Ｓ１４において「ＹＥＳ」）、ステップＳ１７に進み同期を維持する。
【０１０３】
一方、ステップＳ１４において、同期処理部１３による同期が完了していないと判定した場合（Ｓ１４において「ＮＯ」）、状態判定部１４は同期処理部１３に同期開始信号を出力する。
【０１０４】
同期処理部１３は、状態判定部１４から出力された同期開始信号に応じて、復調処理部１２から入力された復調結果をもとに同期を行う（Ｓ１５）。
【０１０５】
同期処理部１３は、同期を行った結果、同期が成功したか否か、すなわち同期が完了したか否か判定する（Ｓ１６）。同期が完了した場合（Ｓ１６において「ＹＥＳ」）、同期処理部１３はタイミング信号を復調処理部１２に出力する。そして、同期処理部１３は、状態判定部１４から再度、同期開始信号が入力されてこない限り、そのまま同期を維持し、所定の間隔でタイミング信号を生成し復調処理部１２に出力する（Ｓ１７）。
【０１０６】
一方、同期が成功しなかった場合、すなわち同期が完了しなかった場合、同期処理部１３は、再度、同期を行わなければならない。そこで、同期処理部１３は、状態判定部１４に同期失敗信号を出力する。同期処理部１３から同期失敗信号が出力されると、この同期失敗信号に応じて、状態判定部１４は、再度、同期開始信号を同期処理部１３に出力する。そして、ステップＳ１５から処理を繰返す。
【０１０７】
以上のようにして、本実施の形態に係る放送波受信システム１００では、ＲＦ（高周波）信号を受信すると同期処理を実行する。
【０１０８】
次に、図４を参照して、放送波受信システム１００における同期再実行処理について説明する。
【０１０９】
まず、前提として、放送波受信システム１００は、上記した同期実行処理により同期が完了し、同期が維持されている状態にあるものとする（Ｓ２１）。このように、同期が維持されている間は、状態判定部１４が、復調処理部１２から入力された復調結果より設定パラメータ５６の再設定の必要性があるか否か判定する（Ｓ２２）。具体的には、復調処理部１２は以下のようにして設定パラメータ５６の再設定の必要性を判定する。すなわち、本実施の形態に係るＯＦＤＭ復調装置１では、復調処理部１２による上記復調結果に、同期信号が含まれている。そこで、同期処理部１３は、復調処理部１２から入力された復調処理結果からこの同期信号の検出を行う。同期信号が検出できない場合は同期失敗信号を状態判定部１４へ出力する。そして、状態判定部１４は、同期処理部１３から入力されてくる同期失敗信号が所定回数以上、連続して入力された場合、設定パラメータ５６の再設定を行う必要があると決定する（Ｓ２２において「ＹＥＳ」）。すなわち、状態判定部１４は、所定数のフレームで連続して同期異常を検出したと判定した場合、まずはチューナ５において設定される設定パラメータ５６の再設定が必要であると決定する。または、復調処理部１２から状態判定部１４に入力されるＭＥＲが所定の閾値以下となった場合、設定パラメータ５６の再設定を行う必要があると決定してもよい。
【０１１０】
一方、所定回数以上、同期異常が連続しなかった場合は、状態判定部１４は、同期を維持するものと判断する。
【０１１１】
なお、所定回数以上、同期異常が連続しなかった場合とは、例えば、瞬時的な雑音等の影響で同期信号にエラーが生じた場合が想定できる。このように所定回数以上、同期異常が連続しなかった場合に同期を維持する構成である。このため、本実施の形態に係る放送波受信システム１００は、瞬時的な雑音等の影響で同期信号にエラーが生じた場合には再同期を行わないようにすることができ、システムの安定性を高めることができる。
【０１１２】
また、状態判定部１４が設定パラメータ５６の再設定が必要であると判定した場合（Ｓ２２において「ＹＥＳ」）、パラメータ設定部１５に対して設定開始信号を出力する。
【０１１３】
パラメータ設定部１５は、状態判定部１４から入力された設定開始信号に応じて、パラメータ記憶装置１７から設定パラメータ５６を読み出す。そして、パラメータ設定部１５は、読み出した設定パラメータ５６をパラメータ記録部５３（レジスタ）に送信する（Ｓ２３）。
【０１１４】
パラメータ記録部５３は、設定パラメータ５６がＯＦＤＭ復調装置１から入力されると、該設定パラメータ５６を記録する。ここで、設定パラメータ５６が例えば、チューナ５が受信する周波数帯域を規定するパラメータである場合、チューナ５では以下のようにしてこの設定パラメータ５６の再設定を行う。
【０１１５】
すなわち、局部発振器５２は、パラメータ記録部５３に記録された設定パラメータ５６により規定された周波数帯域に基づき決定された周波数の正弦波をミキサ５１に出力する。そして、ミキサ５１は入力された正弦波とアンテナ４より受信したＲＦ信号を乗算することで周波数変換を行い、ＯＦＤＭ復調装置１に対してＩＦ信号を出力する。
【０１１６】
このように、チューナ５において設定パラメータ５６が再設定されると、この再設定後のチューナ５から出力されたＩＦ信号を復調処理部１２が復調する。そして、状態判定部１４がこの復調結果から同期異常の有無を検出し、再同期の必要性を判定する（Ｓ２５）。具体的には、設定パラメータ５６の再設定後にチューナ５から出力されたＩＦ信号に対する復調処理部１２の復調結果から同期処理を行う同期処理部１３より出力される同期失敗信号が所定回数以上、連続して入力された場合、同期異常が検出されたとして再同期が必要であると判定する。または、復調処理部１２から状態判定部１４に入力されるＭＥＲが所定の閾値以下となった場合、設定パラメータ５６の再設定を行う必要があると判定してもよい。
【０１１７】
ここで状態判定部１４が同期異常を検出した場合、複数フレームで同期異常を連続して所定回数（許容同期異常回数Ｘ）を超えて検出したか否かカウントする。この時、カウント値があらかじめ決められた許容同期異常回数Ｘを超えると、状態判定部１４は、再同期が必要であると判定して（Ｓ２５において「ＹＥＳ」）、同期開始信号を同期処理部１３に出力する。状態判定部１４から同期開始信号が入力されると、同期処理部１３は、この同期開始信号に応じて同期処理を再度行う（Ｓ２６）。
【０１１８】
一方、上記カウント値がＸを超えない場合、状態判定部１４は同期開始信号を同期処理部１３に出力せず、同期処理部１３は同期状態を維持し、同期再実行処理を終了する。
【０１１９】
以上のように、本実施の形態に係る放送波受信システム１００では、一度、同期が完了した状態で正しい復調結果が得られない場合、例えば同期異常を検出した場合、まず、チューナ５に設定されている設定パラメータ２０を再設定する。そして、再設定後のチューナ５から入力されたＩＦ信号の復調結果から、さらに同期異常を所定回数連続して検出するか否か判定し、同期異常を連続して検出すると判定した場合に同期処理部１３に同期処理を実行させる構成である。
【０１２０】
このため、チューナ５における設定パラメータ５６の消失に起因して正しく復調できなかった場合、すなわち同期異常を検出した場合、同期処理部１３に対して再同期処理を指示することなく、チューナ５において設定パラメータ２０の再設定を行うだけで復調結果から正しい同期信号を出力出来るようになる。すなわち、正常な復調結果を得ることができるようになる。
【０１２１】
したがって、正しい復調結果を得られなかった場合、常に再同期を実行する構成と比較して、正しい復調結果を得るために要する時間を短縮することができる。
【０１２２】
本実施の形態に係る放送波受信システム１００では、チューナ５から入力されたＩＦ信号において連続して所定回数以上、同期異常が検出された場合、状態判定部１４が設定パラメータ５６の再設定が必要であると判定し、パラメータ設定部１５に対して設定開始信号を出力する構成であった。また、設定パラメータ５６の再設定後にチューナ５から入力されたＩＦ信号においても連続して所定回数以上、同期異常が検出された場合、状態判定部１４は、同期開始信号を同期処理部１３に出力し、再同期を指示する構成であった。
【０１２３】
このため、瞬時的な雑音による影響でＩＦ信号を正しく復調できなかった場合は、設定パラメータ５６の再設定を行わないようにすることができる。このため、瞬時的な雑音による影響でＩＦ信号を正しく復調できなかった場合は、アンテナ４を介して入力されたＲＦ信号を受信し復調する受信処理を中断させることがない。また、設定パラメータ５６の再設定後においても、瞬時的な雑音による影響で正しく復調できなかった場合は、再同期を行わないようにすることができる。このため、瞬時的な雑音による影響で正しく復調できなかった場合は、アンテナ４を介して入力されたＲＦ信号を受信し、復調する受信処理を、上記再同期の実行のため中断させることがない。
【０１２４】
したがって、本実施の形態に係る放送波受信システム１００は、ＲＦ信号に対する受信処理の安定性を向上させることができる。
【０１２５】
なお、本実施の形態に係る放送波受信システム１００では、状態判定部１４による、設定パラメータ５６の再設定の実行の要否判定、および再同期の要否判定を、チューナ５から入力されたＩＦ信号において連続して所定回数以上、同期異常が検出された場合に行う構成であった。しかしながら、図５に示すように、これらの要否判定を、復調処理部１２が備える誤り訂正処理部（誤り訂正手段）１０によって訂正されたビット数（訂正結果）が所定のビット数を超えたか否かによって判定する構成であってもよい。なお、上記誤り訂正処理部１０は、ＯＦＤＭ復調装置２０１の復調処理部２０９が備える誤り訂正処理部２２３と同様であるためその詳細については省略する。なお、図５は、本発明の別の実施形態を示すものであり、受信処理に関するＯＦＤＭ復調装置およびチューナの要部構成を示すブロック図である。
【０１２６】
また、上記放送波受信システム１００は、図６に示すように、出力状態判定部１８をさらに備え、チューナ５から出力されるＩＦ信号の出力レベルが所定の閾値以上か監視する構成としてもよい。このように構成される場合、出力状態判定部１８は、ＩＦ信号の出力レベルが所定の閾値を下回ると判定した場合、パラメータ設定部１５に指示して、ＩＦ信号の出力レベルを規定する設定パラメータ５６の再設定を指示する。
【０１２７】
ところで、上記出力レベルが所定の閾値に満たない場合とは、ＩＦ信号の出力レベルを規定するための設定パラメータ５６を喪失してしまった場合が考えられる。そこで、ＩＦ信号の出力レベルが所定の閾値に満たない場合、ＩＦ信号の出力レベルを規定する設定パラメータ５６を再設定することで、出力レベルが所定の閾値以上となるように状態を維持することができる。したがって、ＩＦ信号の出力レベルを規定するための設定パラメータ５６の喪失に起因して、正しい復調結果が得られなくなるケースを防ぐことができる。
【０１２８】
このように、正しい復調結果を得ることができなくなる要因の中から、出力信号の出力レベルを規定するための設定パラメータ５６の喪失を除外できるため、正しい復調結果を得ることができない状態が発生する頻度が低減される。このため、再同期すべきか否か判定する機会を低減することができ、結果としてアンテナ４を介して入力されたＲＦ信号をＩＦ信号に変換し、このＩＦ信号を復調する、放送波受信システム１００による受信処理を中断してしまう頻度を低減させることができる。
【０１２９】
なお、上記出力状態判定部１８が判定基準として利用する閾値は、出力レベルが「０」の状態とする。すなわち、出力レベルを規定する設定パラメータ５６を喪失した場合、ＩＦ信号の出力レベルは「０」となるためである。
【０１３０】
また、上記では出力状態判定部１８は、ＩＦ信号の出力レベルが所定の閾値を満たすか否か判定する構成であったが、所定期間に出力レベルが減衰した値を基準にして、設定パラメータ５６の再設定を決定する構成としてもよい。
【０１３１】
なお、上記したＯＦＤＭ復調装置１は、復調処理部１２とともに、ＡＤＣ１１、同期処理部１３、状態判定部１４、パラメータ設定部１５、ＡＧＣ１６、およびパラメータ記憶装置１７を備える構成であった。しかしながら、復調処理部１２を除く各部については必ずしもＯＦＤＭ復調装置１が備えておく必要はなく、これら各部は、ＯＦＤＭ復調装置１とは別の装置が備えるものであってもよい。
【０１３２】
また、上記したＯＦＤＭ復調装置１では、復調処理部１２が誤り訂正処理部１０を備える構成として説明した。しかしながら、誤り訂正処理部１０は、必ずしも復調処理部１２の構成要素である必要はなく、復調処理部１２とは別に設けられるものであってもよい。
【０１３３】
また、ＯＦＤＭ復調装置１が備える復調処理部１２、同期処理部１３、状態判定部１４、およびパラメータ設定部１５は、上述のようにハードウェアロジックによって構成してもよいし、次のようにＣＰＵを用いてソフトウェアによって実現してもよい。
【０１３４】
すなわち、ＯＦＤＭ復調装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えた構成としてもよい。そして、上述した機能を実現するソフトウェアであるＯＦＤＭ復調装置１の制御プログラムのプログラムコード（実行形式プログラム、中間コードプログラム、ソースプログラム）をコンピュータで読み取り可能に記録した記録媒体を、上記ＯＦＤＭ復調装置１に供給し、そのコンピュータ（またはＣＰＵやＭＰＵ）が記録媒体に記録されているプログラムコードを読み出し実行する。
【０１３５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３６】
本発明は非特許文献１で規定されるＩＳＤＢ−Ｔの場合について説明した。しかし、ＩＳＤＢ−Ｔに限定されるものではなく、ＡＴＳＣ、ＤＶＢ−Ｈ、Ｔ−ＤＭＢ、Ｍｅｄｉａ ＦＬＯ（登録商標）等のデジタル放送方式にも適用可能である。さらに、放送だけでなく、ＣＤＭＡ２０００、Ｗ−ＣＤＭＡ、Ｂｌｕｅｔｏｏｔｈ（登録商標）、ＩＥＥＥ８０２系等の通信系の受信部にも適用可能である。
【図面の簡単な説明】
【０１３７】
【図１】本発明の実施形態を示すものであり、受信処理に関するＯＦＤＭ復調装置およびチューナの要部構成を示すブロック図である。
【図２】本発明の実施形態を示すものであり、放送波受信システムの要部構成を示すブロック図である。
【図３】本発明の実施形態を示すものであり、放送波受信システムにおける同期実行処理を示すフローチャートである。
【図４】本発明の実施形態を示すものであり、放送波受信システムにおける同期再実行処理を示すフローチャートである。
【図５】本発明の別の実施形態を示すものであり、受信処理に関するＯＦＤＭ復調装置およびチューナの要部構成を示すブロック図である。
【図６】本発明の別の実施形態を示すものであり、受信処理に関するＯＦＤＭ復調装置およびチューナの要部構成を示すブロック図である。
【図７】従来技術を示すものであり、ＯＦＤＭ伝送シンボルの構成を示す図である。
【図８】従来技術を示すものであり、モードの種類と各モードにおける有効シンボル期間長ｔｓとの対応関係を示す図である。
【図９】従来技術を示すものであり、ＧＩ比と各モードごとのＧＩ期間長ｔｇとの対応関係を示す図である。
【図１０】従来技術を示すものであり、キャリアの種類と各キャリアの種類ごとの信号強度と、各モードにおけるキャリア本数との対応関係を示す図である。
【図１１】非特許文献１に記載の望ましい仕様に基づいて構成された、従来のＯＦＤＭ受信装置の構成を示すブロック図である。
【符号の説明】
【０１３８】
１    ＯＦＤＭ復調装置（復調装置）
４    アンテナ
５    チューナ
１０  誤り訂正処理部（誤り訂正手段）
１２  復調処理部
１３  同期処理部（再同期手段）
１４  状態判定部（第１判定手段、第２判定手段）
１５  パラメータ設定部（パラメータ再設定手段）
１７  パラメータ記憶装置
１８  出力状態判定部（出力判定部）
２０  設定パラメータ
５３  パラメータ記録部
５６  設定パラメータ（パラメータ）
１００  放送波受信システム（受信装置）
【図１】
2010034750.tif 000003
【図２】
2010034750.tif 000004
【図３】
2010034750.tif 000005
【図４】
2010034750.tif 000006
【図５】
2010034750.tif 000007
【図６】
2010034750.tif 000008
【図７】
2010034750.tif 000009
【図８】
2010034750.tif 000010
【図９】
2010034750.tif 000011
【図１０】
2010034750.tif 000012
【図１１】
2010034750.tif 000013